(57)【要約】【課題】接続カードの外部金属層と端子脚位が誤接触導通することや、シャットダウンが発生することを回避可能で、ＳＤＩＯメモりカードの接地機能に影響のないマルチプルインワンメモリカードの挿入接続台を提供する。【解決手段】金属ケース１、共用端子台２及び複数組の接続端子群から構成される。メモリカードの挿入接続台に設けられているＭＳメモリカードの全体適配スロットを選定された側へ適当に偏移させ、ＸＤの第一端子脚（ＧＮＤ脚位）を無作用状態し、金属ケース１の接地機能を除去する。接続カードの外部金属層とＸＤ第一支端子脚、第二支端子脚が同時に接触して誤接触導通が発生することを避け、カード読み取り時にシャットダウンが発生することを防止する。かつＳＤＩＯメモリカードの接地機能が影響されないように、金属ケースのばねアームはカード着位偵察片と接地端子の押し上げ接続を通じて接地機能を提供する。【選択図】  図１
0003117122.tif 000002
【実用新案登録請求の範囲】
【請求項１】
マルチプルインワンメモリカードの挿入接続台であって、それは金属ケース、共用端子台及び複数組の接続端子群から構成され、
金属ケースは金属の蓋であり、共用端子台は絶縁の台で金属ケースと組み合わせ結合し、結合した一端には各メモリカードの適配挿入に供される共用スロットがあり、複数組の接続端子群は選定されて共用端子台に設けられ、それはＭＭＣ４．０端子群、ＳＤ端子群、ＸＤ端子群及びＭＳ端子群を含んで各種メモリカードの相対接続に供され、
金属ケースとＰＣＢ板との接地点は不連続の状態に現れて金属ケースの接地機能を除去可能であり、
共用端子台は共用スロットに設けられ、メモリカードと組み合わせられる適配位置に選定され、選定された側へ移動し、ＸＤ端子群の第一端子脚が無作用状態（none  connection）となり、
中心が偏移に現れるＭＳメモリカードの適配位置は、ＭＳロングカード形態に模擬されるＭＳ  ＤｕｏまたはＭＳ  Ｐｒｏ  Ｄｕｏショートメモリカードに対し、接続カードの外部金属層がＸＤメモリカードの第一支端子脚、第二支端子脚との接触が規制され、ＸＤ端子群の第１９脚位、第２０脚位と金属ケースとの導通を回避可能であることを特徴とするマルチプルインワンメモリカードの挿入接続台。
【請求項２】
共用端子台の共用スロットに設けられてＭＳメモリカードと組み合わせられる適配位置は約０．３ｍｍから１．３ｍｍ移動することを特徴とする請求項１記載のマルチプルインワンメモリカードの挿入接続台。
【請求項３】
共用端子台の共用スロットに設けられてＭＳメモリカードと組み合わせられる適配位置はＸＤ端子群の第一支端子脚方向へ移動することを特徴とする請求項１記載のマルチプルインワンメモリカードの挿入接続台。
【請求項４】
金属ケースのばねアームはカード着位偵察片と接地端子の押し上げ接続を通じて接地を形成することを特徴とする請求項１記載のマルチプルインワンメモリカードの挿入接続台。
【考案の詳細な説明】
【技術分野】
【０００１】
本考案は、マルチプルインワンメモリカードの挿入接続台に関し、特にＭＳ  ＤｕまたはＭＳ  Ｐｒｏ  Ｄｕｏメモリカードが接続カードと結合した後の挿入接続使用に適合するマルチプルインワンメモリカードの挿入接続台に関する。
【背景技術】
【０００２】
周知のメモリカードの接続台には複合式共用スロットが設けられて各種メモリカード（例えばＭＳ、ＭＳ  Ｐｒｏ、ＳＤ、ＭＭＣ、ＭＭＣ４.０、ＸＤ等メモリカード）の直接挿入使用に供され、またはＭＳ  Ｄｕｏ、ＭＳ  Ｐｒｏ  Ｄｕｏ、miniＳＤ、microＳＤ（Ｔ−flash）、ＭＭＣ  Ｍｉｃｒｏ、ＲＳＭＭＣ、ＲＳＭＭＣ４.０等メモリカードが選定接続カードの組み合わせ結合する。更に共用スロットに挿入使用され、それをもってメモリカードの挿入接続台のマルチカードインワンの共用目的を達成し、各種使用のニーズを満足する。
【０００３】
周知のマルチプルインワンメモリカードの挿入接続台の構成は金属ケース、絶縁共用端子台及び複数組の各種メモリカードと組み合わせ接触できる接続端子（例えば：ＭＳ端子群、ＳＤ端子群、ＭＭＣ４.０端子群とＸＤ端子群等が含まれ）、共用端子台内には偵察片、読み書き防止偵察片、接地端子または溶接補助片等関連の周知部材が設けられ、かつ金属ケースと共用端子台が結合した後は多階段状で広い相通の複合式共用スロットに形成され、各種メモリカードの適配挿入に供される。
【考案の開示】
【考案が解決しようとする課題】
【０００４】
図９から図１１に示すように、上述周知のＭＳ  Ｄｕｏ（またはＭＳ  Ｐｒｏ  Ｄｕｏ）メモリカード４はショートカードの形態であるため、常に接続カード４０と結合してＭＳロングカードの形態に模擬し、ＭＳロングカード使用の挿入接続台（すなわちカード読み取り機）に適合される。適配結合の接続カード４０の外部には金属層４０１及び非金属層４０２を有する。金属層４０１には予め絶縁塗料が設けられているが、長期間に挿し抜き使用された後、絶縁塗料は剥がれ落ちて金属層４０１は外露するので、ＸＤメモリカードの導通端子の第一支端子脚３３１と第二支端子脚３３２（すなわちＧＮＤとＣＤ脚位）と同時接触しやすくなる。結果的には信号の誤接触導通になり、正常に資料を読み取ることができない。このほか、使用の経験からわかるように、接続カード４０の金属層４０１が同時にＸＤメモリカードの接続端子の第１９脚位、第２０脚位（すなわちＶＣＣ脚位）と第一支端子脚（または第二支端子脚）と接触した場合、マルチプルインワンメモリカードの挿入接続台がカードを読み取るときに、シャットダウンの現象が発生しやすくなる。
【０００５】
ＭＳ  Ｄｕｏ、ＭＳ  Ｐｒｏ  Ｄｕｏのショートメモリカードとそれと適配結合する接続カードはすべて周知のものであるため、メモリカード挿入接続台はすでにあるメモリカードに順応して自身の改善を求め、上述信号の誤接触導通現象を改善する。
【０００６】
したがって本考案の目的は、接続カードの外部金属層と端子脚位が誤接触導通することや、シャットダウンが発生することを回避可能で、ＳＤＩＯメモりカードの接地機能に影響のないマルチプルインワンメモリカードの挿入接続台を提供することにある。
【課題を解決するための手段】
【０００７】
上述の目的を達成するために本考案の請求項に記載のマルチプルインワンメモリカードの挿入接続台は、ＭＳ  ＤｕｏまたはＭＳ  Ｐｒｏ  Ｄｕｏショートメモリカードが接続カードと結合された後の使用の欠点に対して改善したもので、特にメモリカードの挿入接続台に設けられているＭＳメモリカードの全体適配スロットを選定された側へ適当に偏移させ、ＸＤの第一端子脚（ＧＮＤ脚位）を無作用状態（none  connection）に現せ、並びに金属ケースの接地機能を除去し、接続カードの外部金属層とＸＤ第一支端子脚、第二支端子脚が同時に接触して誤接触導通が発生することを避け、カード読み取り時にシャットダウンが発生することを防止する。かつＳＤＩＯメモリカードの接地機能が影響されないようにするため、接続台の金属ケースのばねアームはカード着位偵察片と接地端子の押し上げ接続を通じて接地機能を提供し、静電気放電（ＥＳＤ）の効果を獲得する。
【考案を実施するための最良の形態】
【０００８】
以下、本考案の実施例を図面に基づいて説明する。
図１から図３に示すように、本考案の実施例によるマルチプルインワンメモリカードの挿入接続台は金属ケース１、共用端子台２及び複数組の接続端子群３１、接続端子群３２、接続端子群３３、接続端子群３４（実施例のようにそれぞれＭＭＣ４.０端子群３１、ＳＤ端子群３２、ＸＤ端子群３３及びＭＳ端子群３４）から構成される。
【０００９】
金属ケース１は金属の蓋で、その金属ケース１とＰＣＢ板の接地点は不連続の状態に現れて金属ケース１の接地機能を除去する。
【００１０】
共用端子台２は絶縁の台で、金属ケース１と組み合わせ結合する。結合端は共用スロットＡを有する（図１に示すように）。共用スロットＡは各種メモリカード４１、メモリカード４２、メモリカード４３、メモリカード４４（図３に示すように、本実施例はＭＭＣ４.０メモリカード４１、ＳＤメモリカード（またはＳＤＩＯメモリカード）４２、ＸＤメモリカード４３及びＭＳメモリカード４４等を開示している）の適配挿入に供される。そは、メモリカードの挿入接続台の共用スロットＡに設けられ、ＭＳメモリカードと組み合わせられる適配スロット（図４を参照）は選定された側へ約０.３−１.３ｍｍ偏移しなければならない（実施例に示すように、それは主としてＸＤ端子群３３の第一端子脚３３１方向へ偏移する）。ＸＤ端子群３３の第一端子脚３３１（元来はＧＮＤ脚位）を無作用状態（none  connection）に現れるようにし、接地機能は改めてＸＤ端子群３３の第１０支端子脚３３１０から提供するので、第一端子脚３３１の機能が解除されても元来の機能は影響されない。
【００１１】
複数組の接続端子群３１、接続端子群３２、接続端子群３３、接続端子群３４は共用端子台２に設けられて各種メモリカード４１、メモリカード４２、メモリカード４３、メモリカード４４の相対接続に供されるよう選定される。図４に示すように、本実施例はそれぞれＭＭＣ４.０端子群３１、ＳＤ端子群３２、ＸＤ端子群３３及びＭＳ端子群３４であるので、ＭＭＣ４.０メモリカード４１、ＳＤメモリカード４２、ＸＤメモリカード４３及びＭＳメモリカード４４の相対接続に供することが可能である。上述接続端子群３１は単独にＭＭＣ４.０メモリカード４１の接続を提供するほか、接続端子群３２と共用してＳＤメモリカード４２の接続を提供することが可能である。上述接続端子群３１、接続端子群３２、接続端子群３３、接続端子群３４の設置は周知のものであるので余計な説明をしないが、必要な場合は違うメモリカードの使用ニーズに応じて接続端子群の分布または構成形態を変えることが可能である。
【００１２】
上述のように構成されるマルチプルインワンメモリカードの挿入接続台で、前記ＭＳメモリカードの適配スロットの中心偏移の設計は、主としてＭＳ  ＤｕｏまたはＭＳ  Ｐｒｏ  Ｄｕｏショートメモリカード４が接続カード４０と結合した後に発生する使用の欠点に対して改善したものである。ＭＳメモリカードの適配スロットがすでに適当に偏移し、並びに挿入接続台のＸＤメモリカードの接続端子群３３の第一支端子脚３３１の接地機能が解除されたので、接続カード４０の外部金属層４０１が外へ露出してもＸＤメモリカード３３の第一支端子脚３３１、第二支端子脚３３２と接触して誤接触導通が発生することはない（図５、図６に示すように）。挿入接続台のＭＳ  ＤｕｏまたはＭＳ  Ｐｒｏ  Ｄｕｏショートカード４と接続カード４０の結合使用に対し、その正常な資料読み取り機能はまったく影響を受けない。
【００１３】
上述ＭＳメモリカードの適配スロットの偏移は最少一脚位以上の距離を偏移しなければならない。ＭＳ  ＤｕｏまたはＭＳ  Ｐｒｏ  Ｄｕｏショートカード４が接続カード４０と結合して挿入されても更に第二端子脚３３２（すなわちＣＤ脚位）と接触することはないが、共用端子台２の元の壁厚及び壁厚の強度を維持することを考慮して、その偏移距離は０.３−１.３ｍｍの範囲内が適当であり、かつ偏移０.３ｍｍを最適実施とする。
【００１４】
本実施例によるマルチプルインワンメモリカードの挿入接続台においては、金属ケース１の接地機能はすでに除去されていうｒ。ＳＤＩＯメモリカード４２（ブルートゥース、無線ネットワーク等入力出力機能のあるＳＤメモリカードを指す）の接地機能への影響を避けるため、更に進んで金属ケース１の元来にあるケースばねアーム１１（図２に示すように、その金属ケース１の表面両側にはばね片１２、ばね片１２ａが設けられているが、その中片側のばね片１２だけがＳＤＩＯメモリカード４２の静電気排除接点４２１に当て付けることが可能で、他側のばね片１２ａは作用しない）はカード着位偵察片５２と接地端子５３の押し上げ接続を通じて接地機能を提供し、静電気放電（ＥＳＤ）の効果が得られ、ＳＤＩＯメモリカードの元来の接地機能は影響されない。すなわち、ＳＤＩＯメモリカード４２が共用スロットＡに挿入されると、ばね片１２はＳＤＩＯメモリカード４２の静電気排除接点４２１に当て付け（図３に示すように）、ＳＤＩＯメモリカード４２はカード着位偵察片５２を外へ押し上げて接地端子５３及びケースばねアーム１１と接触し、ケースばねアーム１１、カード着位偵察片５２（それの相対端には周知の読み書き防止偵察片５１がある）と接地端子５３の接触によって接地機能を提供し、静電気放電（ＥＳＤ）の効果を獲得する。
【００１５】
上述実施例が開示したのは本考案の主要技術の実例説明だけであり、それは本案の技術範囲を限定するものでなく、およそ同等効果の応用または前項技術手段に基づいて行った簡単な変更または入れ替えに及ぶものは、本案の技術範囲に属するものと見なすべきである。
【００１６】
上述をまとめると、本考案が行うマルチプルインワンメモリカードの挿入接続台設計の手段は確かに新型で初めてのものであり、それはＭＳ  Ｄｕｏ、ＭＳ  Ｐｒｏ  Ｄｕｏショートカードが接続カードと結合した後もマルチプルインワンメモリカードの挿入接続台に適用し、誤接触導通またはシャットダウンが起こることなく、かつＳＤＩＯメモリカードの接地機能も影響されないので、それの実用進歩効果は明らかである。
【００１７】
本考案の主要目的はマルチプルインワンメモリカードの挿入接続台の改善設計を提供するもので、それはＭＳ  ＤｕｏまたはＭＳ  Ｐｒｏ  Ｄｕｏショートメモリカードが接続カードと結合された後の使用欠点に対して改善したものである。特にメモリカードの挿入接続台に設けられてあるＭＳメモリカードの全体適配スロットを選定された側へ約０.３−１.３ｍｍ偏移させ、かつＸＤの第一端子脚（元来はＧＮＤ脚位である）を無作用状態（none  connection）に表せ、金属ケースの接地機能を除去するので（金属ケースとＰＣＢ板の接地点を連接しない状態にする）、接続カードの外部金属層がたとえ露出してもＸＤメモリカードの第一支端子脚、第二支端子脚と接触して誤接触導通を発生することなく、情報読み取りの正常な機能はまったく影響を受けない。更に第１９脚位、第２０脚位（すなわちＶＣＣ脚位）が金属ケースと導通してシャットダウンを起こすことが回避可能である。
【００１８】
本考案の次の目的はマルチプルインワンメモリカードの挿入接続台の改善設計を提供するもので、金属ケースの接地機能がすでに除去され、ＳＤＩＯメモリカード（ブルートゥース、無線ネットワーク等入力出力機能のあるＳＤメモリカードを指す）の接地機能が影響されないようにする。更に接続台の金属ケースのばねアームをカード着位偵察片と接地端子の押し上げ接続を通じて接地機能を提供し、これによって静電気放電（ＥＳＤ）の効果を獲得し、ＳＤＩＯメモリカードの元来の接地機能が影響を受けないようにする。
【図面の簡単な説明】
【００１９】
【図１】本考案の実施例によるマルチプルインワンメモリカードの挿入接続台を示す組み合わせ立体図である。
【図２】本考案の実施例によるマルチプルインワンメモリカードの挿入接続台を示す分解立体図である。
【図３】本考案の実施例によるマルチプルインワンメモリカードの挿入接続台を示し、多種メモリカードに適用される意表図である。
【図４】本考案の実施例によるマルチプルインワンメモリカードの挿入接続台で金属ケースを取り外した組み合わせ立体図である。
【図５】本考案の実施例によるマルチプルインワンメモリカードの挿入接続台で模擬ＭＳロングカードを挿入した使用状態の正面図である。
【図６】本考案の実施例によるマルチプルインワンメモリカードの挿入接続台で模擬ＭＳロングカードを挿入した使用状態の意表図である。
【図７】図４の裏面の別の角度からみた立体図である。
【図８】本考案の実施例によるマルチプルインワンメモリカードの挿入接続台のケースばねアーム、読み書き防止偵察片と接地端子の組み合わせを表した状態図である。
【図９】従来のＭＳ  Ｄｕｏ（またはＭＳ  Ｐｒｏ  Ｄｕｏ）メモリカードと接続カードの分解状態図である。
【図１０】従来のＭＳ  Ｄｕｏ（またはＭＳ  Ｐｒｏ  Ｄｕｏ）メモリカードを接続カードに挿入してＭＳロングカードの形態に模擬した組み合わせ意表図である。
【図１１】従来のＭＳ模擬ロングカードをメモリカード接続台に挿入した状態の意表図である。
【符号の説明】
【００２０】
１  金属ケース、２  共用端子台、４  ＭＳ  Ｄｕｏ（またはＭＳ  Ｐｒｏ  Ｄｕｏ）メモリカード、１１  ケースばねアーム、１２  ばね片、１２a  ばね片、３１  ＭＭＣ４.０端子群、３２  ＳＤ端子群  、３３  ＸＤ端子群、３４  ＭＳ端子群、４０  接続カード、４１  ＭＭＣ４.０メモリカード、４２  ＳＤメモリカード（ＳＤＩＯメモリカード）、４３  ＸＤメモリカード、４４  ＭＳメモリカード、５１  読み書き防止偵察片、５２  カード着位偵察片、５３  接地端子、３３１  第一支端子脚、３３２  第二支端子脚、４０１  金属層、４０２  非金属層、４２１  静電気排除接点、３３１０  第１０支端子脚、Ａ  共用スロット
【図１】
0003117122.tif 000003
【図２】
0003117122.tif 000004
【図３】
0003117122.tif 000005
【図４】
0003117122.tif 000006
【図５】
0003117122.tif 000007
【図６】
0003117122.tif 000008
【図７】
0003117122.tif 000009
【図８】
0003117122.tif 000010
【図９】
0003117122.tif 000011
【図１０】
0003117122.tif 000012
【図１１】
0003117122.tif 000013